(57)【特許請求の範囲】
【請求項１】
携帯用電子装置（１００）と共に使用するためのバッテリパック（１０２）であって、第１の端部、第２の端部、およびそれらの間に延在する前側面（１４６）を有するハウジング（１４４）を含み、前記バッテリパックを前記携帯用電子装置に取り外し可能に取り付けるためのラッチ機構（１６０）を含むバッテリパックにおいて、前記ラッチ機構は、
前記ハウジングの底部端面から平坦に延び、かつ前記携帯用電子装置の下側底部端面と当接する支持部（１６４）と、
前記ハウジング内に可動的に配置され、かつ前記ハウジングの第２の端部を通って外側に延びているラッチ（１６２）とを備え、前記ラッチは、
前記ハウジングの第１の端部に向けて、かつ前記ハウジングの前側面と平行に延び、前記携帯用電子装置をその端部にて係合するためのフック状端部（４０４）であって、前記携帯用電子装置の反対側の端部を前記支持部に当接させて引っ張るように、前記ハウジングの前側面と平行な方向に所定の力（７０１）を作用させるフック状端部（４０４）と、
水平方向に延びるクロスバー（５１０）と、
前記クロスバーと前記フック状端部（４０４）との間に縦方向に延びるアーム（５０２）とを備え、
前記クロスバーの両端部が前記ハウジングに支持されている状態で、前記クロスバーは、真っ直ぐになる位置に向けて付勢されたばねとして作用することを特徴とするバッテリパック（１０２）。
【請求項２】
前記ラッチは前記ハウジングの前側面に平行な面内での移動に制限されていることを特徴とする請求項１に記載のバッテリパック。
【請求項３】
前記クロスバーは停止位置（６４６）と係合位置（６４８／６５０）の間での前記ラッチの伸張を可能にすることを特徴とする請求項１に記載のバッテリパック。
【請求項４】
請求項１に記載のバッテリパックは、さらに、
前記ハウジング内に配置された少なくとも１つの電気化学的セル（６３６）と、
前記ハウジングの前側面の上に設けられ、前記携帯用電子装置に電源を供給するよう前記少なくとも１つの電気化学的セルに結合されている少なくとも１つの接点（４２４／４２６／４２８／４３０）と
を備えることを特徴とするバッテリパック。
【請求項５】
請求項４に記載のバッテリパックは、さらに、
前記少なくとも１つの電気化学的セルと前記少なくとも１つの接点との間に結合されたスイッチ（６３２）を備え、
前記スイッチは、前記バッテリパックが前記携帯用電子装置に取り付けられていない場合に前記少なくとも１つの接点から前記少なくとも１つの電気化学的セルを切り離し、かつ前記スイッチは、前記バッテリパックが少なくとも前記携帯用電子装置と係合している場合に前記少なくとも１つの電気化学的セルを前記少なくとも１つの接点に接続することを特徴とするバッテリパック。
【発明の詳細な説明】
【技術分野】
【０００１】
本発明は一般的には携帯用電子装置に関し、かつより特定的には、携帯用電子装置に電源を結合するための装置およびアクセサリに関する。
【背景技術】
【０００２】
消費者の需要は携帯用電子製品の領域における技術的進歩を活気づけている。積極的な開発および製造により、産業界は電子部品の大幅な超小型化を達成し、その結果、ラップトップコンピュータおよびセルラ無線電話のような、極めて低重量および寸法的に圧縮された携帯用電子装置が出現している。現在のマーケットには種々の携帯用電子装置が氾濫してきており、その中から消費者は購買のために選択することができる。しばしば、携帯用電子装置の主たるセールスポイントは動作上の機能および外見を含む。
【０００３】
携帯用電子装置の１つのそのような動作上の機能はその連続動作の時間、すなわち、その「通話」時間および「スタンバイ」時間の量である。携帯用電子装置は典型的には該携帯用電子装置に取り付けるよう製造された、ハウジング内に配置された複数の再充電可能な電気化学的セルである、再充電可能なバッテリパックによって給電される。再充電可能なバッテリパックの比較的大きな重量および寸法のため、現在の携帯用電子装置は典型的には単一の、主たる再充電可能なバッテリパックの取り付けのみを可能にしている。したがって、そのような携帯用電子装置はその主たる再充電可能なバッテリパックの再充電の間の期間の間のみの連続動作に制限される。そのような制限はより長い時間の連続動作を必要としかつ余分の再充電可能なバッテリパックを持たなければならないことによって携帯性を犠牲にすることを希望しないユーザにとっては望ましくない。したがって、その携帯性を阻害することなく増大された連続動作を備えた携帯用電子装置を持つことが有利であろう。
【０００４】
連続動作の時間を増大するために、補助の再充電可能なバッテリパックを携帯用電子装置に取り付けて携帯用電子装置に給電する上で主たる再充電可能なバッテリパックを補足することが知られている。再充電可能なバッテリパックを取り付けるための現在のラッチ機構は携帯用電子装置の上に配置された対応する平行なレールと連結する再充電可能なバッテリパックに形成された平行なみぞ、および再充電可能なバッテリパックが携帯用電子装置のハウジングに形成された空洞に挿入されたときに該空洞のまわりに配置されたくぼみ（ｉｎｄｅｎｔａｔｉｏｎｓ）と係合する再充電可能なバッテリパックから伸びた突出部材を含んでいる。
【特許文献１】特開平０６−３３８８１１号公報
【特許文献２】特開平０５−０４１６８６号公報
【特許文献３】特開平０６−０２１８６６号公報
【特許文献４】特開平０７−１８３９３９号公報
【特許文献５】特開平０８−２２３０６７号公報
【特許文献６】特開平０８−２０４６０１号公報
【特許文献７】特開平０８−００９００２号公報
【特許文献８】特開平０２−１８３９６２号公報
【特許文献９】実開平０６−０４１２４６号公報
【特許文献１０】米国特許第０３９９９１１０号明細書
【特許文献１１】特開平０６−２１５７４３号公報
【特許文献１２】特開平０４−２００１４０号公報
【特許文献１３】特開平０６−１０４８１４号公報
【発明の開示】
【発明が解決しようとする課題】
【０００５】
しかしながら、前記補助的な再充電可能バッテリパックは任意選択的なものでありかつ携帯用電子装置が動作するために該携帯用電子装置に常に取り付ける必要はないため、現在のラッチ機構はそれらの不利な外見的影響のため補助の再充電可能バッテリパックを取り付けるためには受け入れ難いものである。例えば、補助バッテリパックの取り付けなしでは、携帯用電子装置の上の平行なレールおよび携帯用電子装置の上のハウジングの空洞は共に使用されずかつ露出されることになる。
【０００６】
したがって、必要なことは、再充電可能なバッテリパックのような、任意選択的なまたはオプションのアクセサリを該任意選択的なアクセサリが取り付けられない場合に携帯用電子装置の外見に与える影響が最少になるように、携帯用電子装置に取り付ける効果的なラッチ機構である。
【課題を解決するための手段】
【０００７】
任意選択的なアクセサリを携帯用電子装置に取り付けるための該任意選択的なアクセサリの上に配置されたラッチ機構は該携帯用電子装置の上に配置された保持装置と係合する支持部および可動ラッチを含む。該支持部および可動ラッチは任意選択的なアクセサリの対向する端部の上に配置されている。前記保持装置は携帯用電子装置の対向する端部ならびに異なる側部上に配置されたリセプタクルおよびノッチを含む。前記保持装置は任意選択的なアクセサリが取り付けられない場合に携帯用電子装置の外見に与える影響を最少にするような寸法および方向とされる。携帯用電子装置への任意選択的なアクセサリの取り付けは前記可動ラッチを前記ノッチと係合させかつ前記支持部およびリセプタクルを接触させることによって行なわれる。可動ラッチはノッチの上に力を及ぼし前記支持部をリセプタクルとのぴったりした接触（ｓｎｕｇ  ｃｏｎｔａｃｔ）へと引き込む。この力はその端部の間に伸びる任意選択的なアクセサリの側部に平行な面内で及ぼされる。
【発明の効果】
【０００８】
要するに、任意選択的なバッテリパックのような、任意選択的なアクセサリの上に配置され携帯用無線電話のような携帯用電子装置に任意選択的なバッテリパックを取り付けるためのラッチ機構は、携帯用無線電話の対向する端部上に配置された保持装置の第１および第２の部分と係合する支持部および可動ラッチを含む。前記保持装置は携帯用無線電話の上のどこかに取り付けられるメインバッテリを補充するための任意選択的なバッテリパックのためのものであるから、前記保持装置は任意選択的なバッテリパックが取り付けられない場合に外観に最小限の影響のみを与えるべきである。前記支持部は任意選択的なバッテリパックの第１の端部の上に配置されかつ前記任意選択的なバッテリパックの第２の端部の上に配置された可動ラッチのフック状端部と面するプロングを有する脚部を含む。前記可動ラッチは前記任意選択的なバッテリパック内に配置されかつフック状端部に結合され前記可動ラッチが伸張されたとき前記フック状端部が前記支持部を前記保持装置の第２の部分とぴったり当接するよう引っ張る保持装置の第１の部分の上に力を及ぼす。その端部間に延在する任意選択的なバッテリパックの前側面に平行な面内にあるこの力は任意選択的なバッテリパックを携帯用無線電話に取り付けた状態に維持し、任意選択的なバッテリパックが電源を携帯用無線電話に伝達できるようにする。
【発明を実施するための最良の形態】
【０００９】
図１は、任意選択的なバッテリパックを取り付けた携帯用電子装置の前方右側斜視図である。携帯用無線電話１００および任意選択的なバッテリパック１０２が取り付けられて図１に示されている。携帯用無線電話１００は携帯用無線電話ハウジング１０４を含む。携帯用無線電話ハウジング１０４は好ましくは、ポリカーボネイトのような、適切なポリマ材料からモールドされる。携帯用無線電話ハウジング１０４は下部ハウジング部１０６および上部ハウジング部１０８を含む。下部および上部ハウジング部１０６，１０８はヒンジ１１０を介して回転可能に結合されており、該ヒンジ１１０は下部ハウジング部１０６の下側頭部端面１１２から平坦に伸びるよう配置されている。アンテナ１１４は下側頭部端面１１２から垂直に伸びている。携帯用無線電話ハウジング１０４内に配置された送受信機回路７００（図７を参照）に結合された、アンテナ１１４は携帯用無線電話１００が無線周波１１８を介して固定サイトセルラベースステーション１１６と通信することによりセルラ無線電話環境において動作できるようにする。
【００１０】
前記下部ハウジング部１０６は下側底部端面１２２、下側左側面１２４、下側右側面１２６の間に下側頭部端面１１２から下方向に伸びた下側後部面１２０および下側前部面１２１を含む。下側後部面１２０は後に図２および図３に関連してさらに説明する任意選択的なバッテリパックの保持装置１２３を含む。下側前部面１２１はキーパッド１３０の上部に配置された表示装置１２８を含む。該表示装置１２８は液晶表示装置（ＬＣＤ）または発光ダイオード（ＬＥＤ）型表示装置とすることができ、ユーザに対し、例えば、任意選択的なバッテリパック１０２に残っている現在の充電量を含む可視的情報を提供する。キーパッド１３０はユーザが携帯用無線電話１００をオンおよびオフとしかつ番号を入力しかつ送信することにより呼を開始できるようにする。
【００１１】
前記上部ハウジング部１０８はヒンジ１１０から上方向にかつ上側底部端面１３４、傾斜した上側頭部端面１３６、上側左側面１３８、および上側右側面１４０の間に伸びた上側後部面１３２および上側前部面１３３を含む。上側後部面１３２は携帯用無線電話１００の送受信機回路７００（図７を参照）に電源を供給するためにそこに取り外し可能に取り付けられた主たるまたはメインバッテリパック１３５を含む。メインバッテリパック１３５および携帯用無線電話ハウジング１０４はメインバッテリパック１３５が取り付けられたとき前記上側後部面１３２と面一になるように製作される。前記上側前部面１３３は開口を有する凹形スピーカベゼル１４２を含む（図３を参照）。凹形スピーカベゼル１４２の開口の背後にかつ見えないところにユーザにオーディオ通信を提供するスピーカが配置されかつ該スピーカからユーザは携帯用無線電話１００に電源を供給しているメインバッテリパック１３５または任意選択的なバッテリパック１０２が消耗状態に近づいていることを警告することができる。
【００１２】
任意選択的なバッテリパック１０２は任意選択的なバッテリパック用ハウジング１４４を含む。該任意選択的なバッテリパック用ハウジング１４４は好ましくは、ポリカーボネイトのような、適切なポリマ材料からモールドされる。該任意選択的なバッテリパック用ハウジング１４４は頭部端面１５０、底部端面１５２、右側面１５４および左側面１５６の間に伸びた前部面１４６および後部面１４８を含む。任意選択的なバッテリパック１０２は携帯用無線電話ハウジング１０４の下側後部面１２０および任意選択的なバッテリパック用ハウジング１４４の前部面１４６が並置状態に維持されるように任意選択的なバッテリパック１０２を携帯用無線電話１００に取り付けるためのラッチ機構１６０を含む。該ラッチ機構１６０は任意選択的なバッテリパック用ハウジング１４４の頭部端面１５０から外側に伸びかつ携帯用無線電話ハウジング１０４の任意選択的なバッテリパック保持装置１２３と係合するラッチ１６２を含む。ラッチ機構１６０はさらに任意選択的なバッテリパック用ハウジング１４４の底部端面１５２から平坦に伸びかつ携帯用無線電話ハウジング１０４の下側底部端面１２２と当接する支持部１６４を含む。
【００１３】
携帯用無線電話１００が以下に示されかつ説明されるが、ラップトップコンピュータ、カムコーダ、ページャ、２方向無線機、パーソナルデジタルアシスタント、その他のような、数多くの携帯用電子装置の内の任意のものがバッテリパックを含む任意のアクセサリを取り付けるために以下に説明するラッチ機構１６０およびラッチ方法を利用できることが認識できるであろう。
【００１４】
図２は、携帯用無線電話１００の後部、左側、および頭部斜視図である。任意選択的なバッテリパックの保持装置１２３がさらに図２に示されている。該任意選択的なバッテリパックの保持装置１２３は下側後部面１２０と一体的に形成されかつ下側頭部端面１１２と近接して配置されたもり上がり領域２００を含む。該もり上がり領域２００は下側後部面１２０から外側に伸びた長円形のフェース面２０２および前記長円形フェース面２０２から下側後部面１２０へと下方向に傾斜した傾斜部２０４を含む。長円形フェース面２０２は上方向に面しているが下側底部端面１２２に向かって下方向に伸びたノッチ２０６を含む。該ノッチ２０６はラッチ機構１６０のラッチ１６２のためのリセプタクルとして作用する。もり上がり領域２００を提供することにより、携帯用無線電話ハウジング１０４内のスペースが節約される。もり上がり領域２００を除いて、下側後部面１２０は任意選択的なバッテリパック１０２がそこに取り付けられない場合に携帯用無線電話１００の外見を損なう何らかの他のラッチ用リセプタクルがない。
【００１５】
スペースの節約に関してはさておき、ノッチ２０６はまた下側後部面１２０または下側頭部端面１１２に配置して携帯用無線電話ハウジング１０４内にかつ下側底部端面１２２へ向かって伸びるようにすることができる。そのように配置することにより、ノッチ２０６は同等にラッチ機構１６０のラッチ１６２を受けることができる（図１を参照）。
【００１６】
図２はまたは前記下側底部端面１２２に接近して下側後部面１２０における一連の開口２１０の背後に配置された１組の平坦な接点またはフラットコンタクト２０８を示している。該１組のフラットコンタクト２０８は携帯用無線電話ハウジング１０４内に配置された送受信機回路７００（図７を参照）に電気的に接続される。任意選択的なバッテリパック１０２を取り付けると、携帯用無線電話１００は該任意選択的なバッテリパック１０２によって前記１組のフラットコンタクト２０８に供給される電源によって動作することが可能になる。前記１組のフラットコンタクト２０８については図７に関連してさらに説明する。
【００１７】
図２にはまた上部ハウジング部１０８に関連するメインバッテリ１３５が示されている。該メインバッテリの末端部２１４におけるラッチ部材２１２は上部ハウジング部１０８の関連するラッチ部材２１６と作動的に係合する。メインバッテリ１３５の外部面２１６は上側後部面１３２と面一の面を形成しているが、メインバッテリ１３５の外部面２１６は上側面１３２の上に延在してより大きな容量を提供するためにより多くのまたはより大きなセルのための付加的な室を提供することもできる。メインバッテリ１３５の結合については図１０〜図１４を参照してより詳細に説明する。
【００１８】
図３は、携帯用無線電話１００の底部平面図を示す。前記任意選択的なバッテリパック用保持装置１２３はさらに図３に示されている。任意選択的なバッテリパック用保持装置１２３は、それぞれ、下側右側面１２６および下側左側面１２４に近接して下側底部端面１２２に形成された右側リセプタクル３００および左側リセプタクル３０２を含む。該右側および左側リセプタクル３００，３０２は下側頭部端面１１２（図７を参照）の方向に下部ハウジング部１０６内へと伸びている。右側および左側リセプタクル３００，３０２を下側底部端面１２２上に配置することにより携帯用無線電話１００の外見は任意選択的なバッテリパック１０２が取り付けられない場合に最少の影響を受けるのみとなる。右側および左側リセプタクル３００，３０２は任意選択的なバッテリパック１０２の支持部１６４の一部の挿入を可能にする寸法とされた直径を有している。
【００１９】
図３はまた下側底部端面１２２における開口３０６の背後に配置された外部コネクタ３０４を示している。外部コネクタ３０４は送受信機基板７００（図７を参照）に接続されかつユーザが携帯用無線電話１００を、自動車のバッテリ（図示せず）のような、外部電源に結合し携帯用無線電話１００を動作させあるいはメインバッテリパック１３５を充電できるようにする。そのような取り付けまたは結合は外部コネクタ３０４と自動車のシガレットライタ用プラグ（図示せず）の間にシガレットライタ用アダプタケーブルを取り付けることによって行なうことができる。外部コネクタ３０４はまた携帯用無線電話１００を自動車に装着されたハンズフリー用ユーザインタフェース（図示せず）に結合するために使用できる。該ハンズフリー用ユーザインタフェースは携帯用無線電話１００の数多くの決まった動作を行なう上でユーザを助ける。
【００２０】
図４は、任意選択的なバッテリパック１０２の前方、右側、および頭部斜視図を示す。該任意選択的なバッテリパック１０２のラッチ機構１６０がさらに図４に示されている。ラッチ機構１６０のラッチ１６２は頭部端面１５０における頭部開口４０１を通して上方向に伸びる留め金またはキャッチ（ｃａｔｃｈ）４００を含む。該留め金４００はフック状端部４０４に隣接するリセプタクル４０２を含む。該フック状端部４０４は底部端面１５２に向かって伸びておりかつ、好ましい実施形態では、任意選択的なバッテリパック用ハウジング１４４の前側面１４６と実質的に平行である。フック状端部４０４は任意選択的なバッテリパック用保持装置１２３（図２を参照）のもり上がり領域２００のノッチと係合するような寸法とされる。携帯用無線電話１００のもり上がり領域２００に適応させるために、任意選択的なバッテリパック用ハウジング１４４はくぼみ領域４０６を含み右側および左側面１５４，１５６の、それぞれ、エッジ４０８および４１０が、任意選択的なバッテリパック１０２が図１に示されるようにそこに取り付けられたとき、携帯用無線電話１００の下側後部面１２０に垂直に当接できるようにする。
【００２１】
ラッチ機構１６０の支持部１６４は底部端面１５２および右側および左側面１５４，１５６のそれぞれのエッジ４０８，４１０から平坦に（ｐｌａｎａｒｌｙ）伸びた右側脚部４１２および左側脚部４１４を含む。右側および左側脚部４１２，４１４は互いに実質的にミラーイメージである。右側および左側脚部４１２，４１４は、それぞれ、右側傾斜頭部面４１６および左側傾斜頭部面４１８を含む。右側および左側傾斜頭部面４１６，および４１８はそれぞれのエッジ４０８，４１０から下方向に傾斜しかつ曲がっている携帯用無線電話１００の下側底部端面１２２（図２を参照）にぴったりと当接するよう輪郭が付けられている。右側および左側脚部４１２，４１４は任意選択的なバッテリパック１０２が取り付けられた時外部コネクタ３０４（図３を参照）へのアクセスを可能にしかつ外部コネクタ３０４への障害（ｏｂｓｔｒｕｃｔｉｏｎ）を防止できるような寸法および方向とされている。
【００２２】
円筒形のプロングまたは突出部（ｐｒｏｎｇ）４２０は右側および左側傾斜頭部面４１６，４１８の各々から上方向に伸びている。円筒形のプロング４２０は任意選択的なバッテリパック用ハウジング１４４の底部端面１５２に垂直にかつ任意選択的なバッテリパック用ハウジング１４４の前側面１４６に平行に伸びている。任意選択的なバッテリパック１０２を携帯用無線電話１００に取り付ける間に、右側および左側傾斜頭部面４１６，４１８の各々の円筒形のプロング４２０は右側および左側傾斜頭部面４１６，４１８が携帯用無線電話１００の下側底部端面１２２（図２および図３を参照）と当接するよう移動した時、それぞれ、右側および左側リセプタクル３０４，３０２内へと挿入される。円筒形のプロング４２０は右側および左側リセプタクル３００，３０２よりもやや小さな寸法の直径を有し確実に該リセプタクルにぴったり適合するようにしている。
【００２３】
外部コネクタ３０４をふさぐことに対する関心事は別として、ラッチ機構１６０の支持部１６４は下側底部端面１２２のすべてまたは一部に当接するために底部端面１５２から平坦に伸びている単一の脚部（図示せず）を備えたものとすることができることが理解されるであろう。該単一の脚部は、各々前記携帯用無線電話１００に配置された右側および左側リセプタクル３００，３０２と同様の、対応する単一の長形の（ｏｂｌｏｎｇ）リセプタクルまたは対応する複数のリセプタクル内に挿入される、各々円筒形のプロング４２０と同様の、単一の横長の円筒形のプロングまたは複数の円筒形のプロングを含むことができる。
【００２４】
図４はさらに任意選択的なバッテリパック用ハウジング１４４の前側面１４６から伸びた一組の突出する接点またはコンタクト４２２を示している。該一組の突出する接点４２２は、図示のごとく、正接点４２４、サーミスタ検知接点４２６、データ接点４２８、および負またはグランド接点４３０からなる。任意選択的なバッテリパック用ハウジング１４４内に配置された複数の電気化学的セル６３６（図６を参照）の正および負極がそれぞれ前記正および負接点４２４，４３０に接続される。任意選択的なバッテリパック用ハウジング１４４内に配置されたサーミスタ（図示せず）が前記負極とサーミスタ検知接点４２６との間に結合されて任意選択的なバッテリパック１０２が充電されている間に前記複数の電気化学的セル６３６の温度を決定するために充電器（図示せず）によって使用できる抵抗を提供する。任意選択的なバッテリパック用ハウジング１４４内に配置された複数の電気化学的セルのタイプを指示する抵抗ネットワークまたはマイクロプロセッサ（図示せず）をデータ接点４２８に結合して複数の電気化学的セル６３６の種別またはアイデンティティ（ｉｄｅｎｔｉｔｙ）を充電および放電の最適化のために充電器および携帯用無線電話１００の双方に提供することができる。任意選択的なバッテリパック１０２を携帯用無線電話１００に取り付けると、バッテリパック１０２の一組の突出する接点４２２の接点が携帯用無線電話１００の平坦な接点またはフラットコンタクト２０８（図２を参照）のそれぞれの接点と係合する。
【００２５】
図５はラッチ機構１６０のラッチ１６２の前方、右側、および頭部斜視図を示す。ラッチ１６２は、Ｂｒｕｓｈ  Ｗｅｌｌｍａｎ  Ｉｎｃ．によって製造されかつ販売されているＢｒｕｓｈ  Ａｌｌｏｙ２５のような、ベリリウム銅合金から連続的に打ち抜かれかつ熱処理される。前記留め金（ｃａｔｃｈ）４００は別として、ラッチ１６２はアーム５０２およびクロスバー５１０を含む。アーム５０２はクロスバー５１０の中間点と前記留め金４００の間に縦方向に伸びている。アーム５０２は前側面５０３および後側面５０４を含みそれらの間に右側エッジ５０５および左側エッジ５０６が伸びている。第１のガイド用フランジ５０７および第２のガイド用フランジ５０８が、それぞれ、右側および左側エッジ５０５，５０６の対向する位置から外側にかつ直交する方向に後方に伸びている。
【００２６】
クロスバー５１０はアーム５０２に関して水平方向に伸びている。クロスバー５１０の中間点は留め金４００の反対側のアーム５０２の端部から直交して後方に伸びる中央ハブ５１２によって画定される。中央ハブ５１２はアーム５０２のものと等しい幅を有する。中央ハブ５１２は曲線状のエッジ５１９によって相互接続された頭部面５１５および底部面５１７を含む。第１のフィンガ５１６が曲線状のエッジ５１９から同一平面で右方向に伸びている。実質的に第１のフィンガ５１６のミラーイメージである、第２フィンガ５２０が第１のフィンガ５１６の正反対の方向に曲線状のエッジ５１９から同一平面で左方向に伸びている。第１および第２のフィンガ５１６，５２０は中央ハブ５１２のものより小さな幅を有する。
【００２７】
クロスバー５１０は中央ハブ５１２と垂直な面内で第１および第２のフィンガ５１６，５２０がたわむことができるような寸法とされている。クロスバー５１０の端部が支持されまたは固定された時、中央ハブ５１２の頭部および底部面５１５，５１７のいずれかに加えられる垂直方向の力はクロスバー５１０を曲げさせ（ｂｏｗ）および中央ハブ５１２をそらせる（ｄｅｆｌｅｃｔ）。この垂直方向の力を除去するとクロスバー５１０はまっすぐになる。クロスバー５１０はまっすぐになった位置に向けてバイアスされたばねとして作用する。従って、中央ハブ５１２がクロスバー５１０の端部の上部にそらされた時、クロスバー５１０は下方向の力を及ぼす。この下方向の力はアーム５０２を介して留め金４００のフック状の端部４０４に伝達されかつ任意選択的なバッテリパック１０２を携帯用無線電話１００に十分にラッチできるようにする。
【００２８】
任意選択的なバッテリパック１０２を携帯用無線電話１００に取り付けた状態で維持するのに必要な下方向の力を決定するため、以下の要因が考慮された。すなわち、任意選択的なバッテリパック１０２の重量、前記一組の突出する接点４２２のばね力、支持部１６４の表面積の量、支持部１６４の円筒形のプロング４２０の長さおよび量、円筒形のプロング４２０およびフック状端部４０４の方向、および任意選択的なバッテリパック用保持装置１２３の右側および左側リセプタクル３０４，３０２およびノッチ２０６の深さおよび方向である。これらの要因を考慮して、ほぼ２２Ｎの力が十分であることが決定された。
【００２９】
任意選択的なバッテリパック１０２が携帯用無線電話１００に取り付けられている間にほぼ２２Ｎの力を及ぼすのに必要なクロスバー５１０の寸法を計算するため、クロスバー５１０はリーフばねとしてモデル化された。該リーフばねは、Ｅｒｉｋ  ＯｂｅｒｇおよびＦ．Ｄ．Ｊｏｎｅｓによる１９７０年、Ｉｎｄｕｓｔｒｉａｌ  Ｐｒｅｓｓ  Ｉｎｃ．の“Ｍａｃｈｉｎｅｒｔｙ´ｓ  Ｈａｎｄｂｏｏｋ”から得られた以下の式によって支配される。
［数１］
Ｌ＝（４Ｅｂｔ３δ／Ｆ）１／３
この場合、
Ｌはリーフばねの長さであり、
Ｅはリーフばねの弾性率であり、
ｂはリーフばねの幅であり、そして
ｔはリーフばねの厚さである。
δはリーフばねの中央におけるそりであり、かつ
Ｆは力である。
【００３０】
明瞭化のため、以下に述べるリーフばねの寸法は図５に示されている。上の式を解くうえで、以下の仮定が行われた。
１．リーフばねの長さＬはクロスバー５１０の曲がりの間に堅い状態にとどまっている中央ハブ５１２の幅ｗ１（６ｍｍ）だけおよびクロスバー５１０の曲がりの間に支持されまたは固定されるクロスバー５１０の長さｌ２およびｌ３（２ｍｍおよび２ｍｍ）だけ低減される。
２．前記弾性率（Ｅ）は０．５ｍｍの厚さ（ｔ）を有するベリリウム銅合金に対してはほぼ１．３２Ｅ５Ｎ／ｍｍ２である。
３．リーフばねの幅（ｂ）は２．７５ｍｍである。
４．リーフばねの中央におけるそり（δ）はラッチ１６２が係合された位置６４８に伸ばされた時（図６を参照）３ｍｍである。
５．前記力（Ｆ）は２２Ｎである。
【００３１】
このような仮定によって次の結果が得られた。
［数２］
Ｌ−（６ｍｍ＋２ｍｍ＋２ｍｍ）
＝［｛４（１．３２Ｅ５Ｎ／ｍｍ２）（２．７５ｍｍ）（０．５ｍｍ）３
（３ｍｍ）｝／（２２Ｎ）］１／３
［数３］
Ｌ＝２９．１４ｍｍ＋１０ｍｍ＝３９．１４ｍｍ
【００３２】
図６は、前面１４６を除去しかつラッチ１６２の複数の位置を有する任意選択的なバッテリパック１０２の正面図である。任意選択的なバッテリパック用ハウジング１４４はラッチ１６２と係合するようモールドされる。任意選択的なバッテリパック用ハウジング１４４はその右側内面６０１上に配置された第１のアンカ６００を含む。該第１のアンカ６００は右側壁６０６によってオフセットされかつ相互接続された右側の三角形の前側レッジまたは棚（ｌｅｄｇｅ）６０２および右側の三角形の後側レッジ６０４によって形成される。実質的に第１のアンカ６００のミラーイメージである、第２のアンカ６０８は第１のアンカ６００と正反対の左側内面６１０上に配置されている。第２のアンカ６０８は左側壁６１６によってオフセットされかつ相互接続された左側の三角形の前側レッジ６１２および左側の三角形の後側レッジ６１４によって形成される。
【００３３】
前記任意選択的なバッテリパック用ハウジング１４４は頭部端面１５０における頭部開口４０１から下方向に（取り付けられた時）前記前側面１４６と同一平面の方向で伸びたトラック６１８を含む。該トラック６１８はさらに前側面１４６に関して垂直後方に後側面１４８の後側内面６１９へと伸びている。トラック６１８の右側および左側の平行なエッジは、それぞれ、右側レール６２０および左側レール６２６によって画定される。右側および左側レール６２０，６２６はトラック６１８から直交して前方向に伸びている。右側シェルフ６２２が右側レール６２０の上部分と右側内面６０１との間に伸びている。右側シェルフ６２２の反対側の、左側シェルフ６２８が左側レール６２６の上部分と左側内面６１０の間に伸びている。それぞれ、右側および左側レール６２０および６２６に隣接しかつ右側および左側レール６２０および６２６に沿って伸びた右側トラフ（ｔｒｏｕｇｈ）６２４および左側トラフ６３０がトラック６１８に配置されている。右側および左側トラフ６２４，６３０は頭部開口４０１と該頭部開口４０１と反対側のトラック６１８の端部に配置されたストッパ６３１との間に伸びている。トラック６１８と面一の、該ストッパ６３１はそこから後側内面６１９へと垂直方向に後方に伸びている。
【００３４】
任意選択的なバッテリパック１０２はそれが携帯用無線電話１００に取り付けられていない場合に該任意選択的なバッテリパック１０２が電源を供給するのを防止するためのスイッチ６３２を含む。該スイッチ６３２は前記ストッパ６３１から所定の距離だけ下に配置されている。スイッチ６３２は後側内面６１９から前方向に伸びたＵ形状のみぞ６３４内に保持される。スイッチ６３２は複数の電気化学的セル６３６の正極を伝達する第１のワイヤ６３８と前記１組の突出する接点４２２の正接点４２４に結合された第２のワイヤの間に電気的に接続されている。スイッチ６３２はその頭部面から伸びるボタン６４２を含む。該ボタン６４２が押圧されたとき、スイッチ６３２は開かれた状態に置かれ、この場合第１のワイヤ６３８および第２のワイヤ６４０が電気的に切断されて複数の電気化学的セル６３６の正極が前記正接点４２４に伝達されないようになる。ボタン６４２が押圧されていない場合は、スイッチ６３２は閉じられた状態に置かれ、この場合第１のワイヤ６３８および第２のワイヤ６４０は電気的に接続されて複数の電気化学的セル６３６の正極が前記正接点４２４に伝達されるようになる。
【００３５】
スイッチ６３２は電気機械的スイッチとして示されているが、該スイッチは任意選択的なバッテリパック１０２内に配置されたマイクロプロセッサ回路（図示せず）によって達成できることを認識すべきである。該マイクロプロセッサ回路は携帯用無線電話１００に任意選択的なバッテリパック１０２を取り付けたことを、例えば、そこに結合された光学的センサ（図示せず）または磁気的リードスイッチ（図示せず）によって検出しかつそれにしたがって複数の電気化学的セル６３６を接続または切断する。
【００３６】
ラッチ１６２は次のようにして任意選択的なバッテリパック用ハウジング１４４内に組立てられる。ラッチ１６２はまずアーム５０２が前記右側および左側レール６２０，６２６の間にトラック６１８とほぼ並置されるように配置される。また、クロスバー５１０の端部は右側および左側の三角形の後部レッジ６０４，６１４の上に着座しかつ中央ハブ５１２の直線上のエッジ５１９はスイッチ６３２のボタン６４２の側部と接触する。ラッチ１６２は次にクロスバー５１０のまわりに回転され留め金４００が前方向に（このページの外側に）移動するようにし、この間に第１および第２のガイドフランジ５０７，５０８がストッパ６３１を通り越しかつ曲線状のエッジ５１９がボタン６４２を通り越す（ｃｌｅａｒｓ）まで矢印６４４の方向の力が中央ハブ５１２上に加えられる。この力の印加および回転の間に、クロスバー５１０は中央ハブ５１２のまわりに曲がることになりその端部が、それぞれ、右側および左側壁６０６，６１６にぴったりと当接し、かつ中央ハブ５１２が縦方向にそるようになる。任意選択的なバッテリパック用ハウジング１４４内へのラッチ１６２の組立ては中央ハブ５１２の底部面５１７がスイッチ６３２のボタン６４２を押圧しかつ前記第１および第２のガイドフランジ５０７，５０８が、それぞれ、右側および左側トラフ内に挿入されかつストッパ６３１の頭部面に対して着座したとき完了する。
【００３７】
ラッチ１６２はさらに任意選択的なバッテリパック用ハウジング１４４の前側面１４６（図４を参照）による組立て状態に維持される。任意選択的なバッテリパック用ハウジング１４４は内部右側面６０１、内部左側面６１０、および底部端面１５２の内側底部面６５４から伸びるマウント６５２を含む。該マウント６５２は前側面１４６の下側の周辺部のまわりに配置されたスナップ（図示せず）と係合する。前記前側面１４６を任意選択的なバッテリパック用ハウジング１４４に組立てるために、前側面１４６はくぼみ領域４０６の下の前側面１４６の下側に形成された中央みぞ（図示せず）が右側および左側レール６２０，６２６と係合するように配置される。前側面１４６は次に、前記みぞの両側のくぼみ領域４０６の下側から上方向に伸びるよう形成された、右側フラップおよび左側フラップ（図示せず）が任意選択的なバッテリパック用ハウジング１４４の、それぞれ、右側および左側シェルフ６２２，６２８の下に引き込まれるようにやや曲げられかつスライドされる。前側面１４６は次に該前側面１４６の下側のスナップが前記マウント６５２と係合するまで後方に曲げられる。いったん前側面１４６が取り付けられると、アーム５０２はトラック６１８と並置した状態に維持されかつ前記第１および第２のガイドフランジ５０７，５０８は、それぞれ、右側および左側トラフ６２４，６３０に維持される。ラッチ１６２は前側面１４６に平行でありかつ前記頭部端面１５０に垂直な面内で移動するよう制約されている。
【００３８】
いったん組立てられると、ラッチ１６２は図６に示されるようにクロスバー５１０の端部の上に中央ハブ５１２の少しのそりによって規定される休止または停止位置（ｒｅｓｔ  ｐｏｓｉｔｉｏｎ）６４６に存在することになる。この休止位置６４６において、任意選択的なバッテリパック１０２は携帯用無線電話１００から取り外される。第１および第２のガイドフランジ５０７，５０８はストッパ６３１の頭部面と当接する。スイッチ６３２のボタン６４２は中央ハブ５１２の底部面５１７によって押圧され複数の電気化学的セル６３６を前記１組の突出接点４２２から切り離す。任意選択的なバッテリパック１０２が取り外されたとき該複数の電気化学的セル６３６を切り離すことにより、任意選択的なバッテリパック１０２がユーザによって持ち運ばれている間に前記１組の突出接点４２２が外部の導電性の物体と接触した場合にも任意選択的なバッテリパック１０２の放電および悪影響を与える発熱が防止される。
【００３９】
任意選択的なバッテリパック１０２を携帯用無線電話１００に取り付ける場合、ラッチ１６２はまず前記休止位置６４６から係合／非係合位置６５０へと伸ばされかつ次に係合位置６４８へと解除され、これらの両方は図６において点線で示されている。ラッチ１６２の延長範囲は前記停止位置６４６とストッパ６３１の底部面の間の中央ハブ５１２の反りによって規定される。休止位置６４６からのラッチ１６２の何らかの延長によって第１および第２のガイドフランジ５０７，５０８がストッパ６３１から離れて、それぞれ、右側および左側トラフ６２４，６３０において上方向に移動し、クロスバー５１０の端部が右側および左側壁６０６，６１６のまわりに回動し、かつ中央ハブ５１２がさらにそりかつスイッチ６３２のボタン６４２を解除する。いったんボタン６４２が図６において点線で示されるように解除されると、複数の電気化学的セル６３６が前記１組の突出接点４２２に接続されかつ電源がそこから供給できるようになる。
【００４０】
前記係合／非係合位置６５０は任意選択的なバッテリパック１０２が携帯用無線電話１００に取り付けられているか、あるいはそこから取り外されているときにラッチ１６２の位置および中央ハブ５１２のそりの量を示す。係合／非係合位置６５０においては、ラッチ１６２は係合位置６４８を超えて伸び、とりわけ、任意選択的なバッテリパック１０２の支持部１６４の右側および左側脚部４１２，４１４の円筒形プロング４２０を携帯用無線電話１００の任意選択的なバッテリパック用保持装置１２３のそれぞれの右側および左側リセプタクル３００，３０２の下に整列できるようにする。
【００４１】
図７は、図１の断面線１−１に沿った携帯用無線電話１００および取り付けられた任意選択的なバッテリパック１０２の断面図を示す。前記係合位置６４８は任意選択的なバッテリパック１０２が携帯用無線電話１００に取り付けられたときのラッチ１６２の位置およびクロスバー５１０の中央ハブ５１２のそりの量を記述する。係合された位置６４８においては、ラッチ１６２のフック状端部４０４は力７０１（ほぼ２２Ｎ）によって任意選択的なバッテリパック用保持装置１２３のノッチ２０６と係合し、任意選択的なバッテリパック１０２を携帯用無線電話１００に取り付けた状態を維持する。ノッチ２０６上のフック状端部４０４および周囲を囲む長円形のフェース面２０２によって及ぼされる力７０１は支持部１６４の右側および左側脚部４１２，４１４の円筒形のプロング４２０（図４を参照）のまわりの右側および左側リセプタクル３００，３０２（図３を参照）および携帯用無線電話１００の下側底部端面１２２の双方を支持部１６４の右側および左側脚部４１２，４１４の右側および左側傾斜頭部面４１６，４１８とぴったりと当接するよう効果的に押圧する。
【００４２】
前記係合位置６４８にあるとき、任意選択的なバッテリパック１０２の前記１組の突出する接点４２２は携帯用無線電話１００の前記１組のフラットコンタクト２０８と電気的に接触している。前記１組の突出接点４２２の各々は任意選択的なバッテリパック１０２を携帯用無線電話１００との取り付け状態に維持するのに必要な力を最小にするように前記１組のフラットコンタクト２０８と接触することに応じて完全に伸びた位置から押圧するようばね負荷が掛けられている。前記１組の突出接点４２２の全ての接点の動作は図７に例示されており、同図はサーミスタ検知接点４２６が押圧位置にあることを示している。ばね７０２がサーミスタ検知接点４２６の下に配置されて前記１組のフラットコンタクト２０８の対応する接点との接触に応じてそれを容易に押圧できるようにする。ばね７０２はサーミスタ検知接点４２６を完全に伸張された位置に向けてバイアスし、それによって押圧されたとき、サーミスタ検知接点４２６が前記１組のフラットコンタクト２０８の対応する接点と依然として電気的接触状態に維持されるようにしている。
【００４３】
いったん取り付けられると、任意選択的なバッテリパック１０２の複数の電気化学的セル６３６はメインバッテリパック１３６と差し替えられかつ該任意選択的なバッテリパック１０２が携帯用無線電話１００に給電する。これはメインおよび任意選択的なバッテリパック１３５，１３２と送受信機基板７００の間に結合されかつ送受信機基板７００によって制御される高速スイッチ（図示せず）によって達成される。したがって、メインおよびオプションのバッテリパック１３５，１０２が送受信機基板７００に結合されたとき、携帯用無線電話１００はオプションのバッテリパック１０２によって動作する。任意選択的なバッテリパック１０２の完全な放電および／または除去の前に、該高速スイッチは携帯用無線電話１００の動作を中断することなく任意選択的なバッテリパック１０２からメインバッテリパック１３５へと自動的に切り替わる。いったん除去されると、任意選択的なバッテリパック１０２は携帯用無線電話１００がメインバッテリパック１３５によって供給される電力によって動作している間に再充電することができる。いったん再充電されると、任意選択的なバッテリパック１０２は再び取り付けられかつ携帯用無線電話１００に給電するよう切り替えられる。携帯用無線電話１００に取り付けられている間に、メインおよびオプションのバッテリパック１３５，１０２は携帯用無線電話１００の外部コネクタ３０４に充電器を取り付けることにより充電することができる。このようにして充電する場合、送受信機基板７００は任意選択的なバッテリパック１０２への切り替えおよび充電の前にメインバッテリパック１３５を完全に充電する。メインバッテリパック１３５はまた該メインバッテリの固定部分７０８にてこ台（ｆｕｌｃｒｕｍ）７０６によって結合されたレバーアーム７０４に圧力を加えることによって除去することができる。該バッテリは図示の如く下方向に傾けられかつ除去される。
【００４４】
図８は、任意選択的なバッテリパック１０２を携帯用無線電話１００にラッチする方法のフローチャートを示す。始めに、ラッチ機構１６０（図４を参照）のラッチ１６２のフック状端部４０４が任意選択的なバッテリパック用保持装置１２３のノッチ２０６（図２を参照）内へと挿入される、ステップ８００。
【００４５】
次に、ステップ８０２において、任意選択的なバッテリパック１０２が、ラッチ機構１６０の支持部１６４の右側および左側脚部４１２，４１４の円筒形のプロング４２０（図４を参照）が携帯用無線電話１００の下側底部端面１２２（図２を参照）をクリアするまたは通り過ぎるまで、ある角度で下方向に引っ張られる。任意選択的なバッテリパック１０２が下方向に引っ張られると、ラッチ１６２は前記停止位置６４６から伸張しスイッチ６３２のボタン６４２（図６を参照）を解除する。いったん解除されると、複数の電気化学的セル６３６が前記１組の突出接点４２２に結合される。任意選択的なバッテリパック１０２はラッチ１６２が前記係合／非係合位置６５０にあるようになるまで下方向に引っ張られる。
【００４６】
ステップ８０４において、任意選択的なバッテリパック１０２は係合／非係合位置に維持されかつフック状端部４０４のまわりに回転されそして任意選択的なバッテリパック１０２の前側面１４６（図４）が携帯用無線電話１００の後側面１２０（図２）と並置状態になるまで動かされる（ａｎｇｌｅｄ  ｂａｃｋ）。いったん並置されると、任意選択的なバッテリパック１０２の１組の突出接点４２２は携帯用無線電話１００の前記１組のフラットコンタクト２０８の下側部分を押圧しかつ電気的に接触する。スイッチ６３２はすでに解除されており、複数の電気化学的セル６３６は前記１組の突出接点４２２および前記１組のフラットコンタクト２０８の電気的接続を介して携帯用無線電話１００に電力を供給する。前記ラッチ機構１６０の円筒形のプロング４２０はすでに携帯用無線電話１００の任意選択的なバッテリパック用保持装置１２３の対応する右側および左側リセプタクル３００，３０２（図３を参照）のすぐ下に整列されている。
【００４７】
携帯用無線電話１００への任意選択的なバッテリパック１０２の取り付けはステップ８０６の実行によって完了し、該ステップ８０６は任意選択的なバッテリパック１０２が上方向に移動しかつ円筒形のプロング４２０が右側および左側リセプタクル３００，３０２内に挿入されかつ右側および左側傾斜頭部面４１６，４１８（図４を参照）が携帯用無線電話１００の下側底部端面１２２と当接することができるように任意選択的なバッテリパック１０２の解除を示している。この解除により、前記１組の突出接点４２２は押圧されかつそれらが前記１組のフラットコンタクト２０８の上側部分（図７を参照）に所在するよう移動するとき前記１組のフラットコンタクト２０８と電気的接触状態に維持される。いったん取り付けられると、ラッチ１６２は前記係合位置６４８（図６および図７を参照）に所在することになる。
【００４８】
携帯用無線電話１００からの任意選択的なバッテリパック１０２の取り外しは上に述べたステップ８００〜８０６の順序を逆にすることによって説明される。取り外しを行なうためには、任意選択的なバッテリパック１０２はまず円筒形プロング４２０が右側および左側リセプタクル３００，３０２から完全に除去されかつラッチ１６２が前記係合位置６４８から係合／非係合位置６５０へと移動するまで下方向に引っ張られ、該任意選択的なバッテリパック１０２は前記係合／非係合位置６５０に維持されている間に、次にフック状端部４０４のまわりに回転し前側面１４６をその携帯用無線電話１００の後側面１２０との並置状態から除去しかつ前記１組の突出接点４２２を前記１組のフラットコンタクト２０８との電気的接触から外し、かつ最後に、任意選択的なバッテリパック１０２はこれによってフック状端部４０４がノッチ２０６から外されかつラッチ１６２を前記係合／非係合位置６５０から停止位置６４６へと後退させる。いったん停止位置６４６へと後退すると、スイッチ６３２のボタン６４２が再び押圧されそれによって複数の電気化学的セル６３６が前記１組の突出接点４２２から切り離されるようになる。
【００４９】
図９は、任意選択的なバッテリパック１０２を取り付けた携帯用無線電話１００および関連するアクセサリを示す。任意選択的なバッテリパック１０２の携帯用無線電話１００へのラッチは別として、ラッチ１６２はリセプタクル４０２（図４を参照）を含み任意選択的なバッテリパック１０２が携帯用無線電話１００に取り付けられている間に、携帯用無線電話１００を、ひっかけコップまたはハングアップカップ（ｈａｎｇ−ｕｐ  ｃｕｐ）のような、アクセサリ内に取り付けることができるようにする。図９において、任意選択的なバッテリパック１０２を取り付けた携帯用無線電話１００はハングアップカップ９００の上に位置している。該ハングアップカップ９００は前側面９０２を有し、該前側面９０２は頭部側部９０４、右側側部９０６、底部側部９０８、および左側側部９１０を有しこれらは前側面９０２から後方向に延在している。前記前側面９０２は任意選択的なバッテリパックハウジング１４４と適合する寸法のくぼみ９１２を含む。該くぼみ９１２はその深さを規定する底部面９１３を含む。ラッチ部材９１４は前側面９０２と前記後退面９１３の間で頭部側部９０４と反対方向に延在するくぼみ９１２の頭部側壁９１８からくぼみ９１２内に伸びている。押圧可能なボタン９１６は前記ハングアップカップ９００の右側側部９０６の右側開口９１８から伸びるようバイアスされている。ボタン９１６の右側開口９２０内への押圧に応じて、前記ラッチ部材９１４は図９に示されるラッチ位置から頭部側壁９１８内に後退する。ハングアップカップ９００は典型的には車両の顧客用コンパートメント（図示せず）内にかつ車両のオペレータに接近して装着されそれがオペレータによって使用されていない間に携帯用無線電話１００を一時的に保持する。
【００５０】
任意選択的なバッテリパック１０２を取り付けた携帯用無線電話１００は前記ボタン９１６を押圧しかつラッチ部材９１４を後退させながら任意選択的なバッテリパック用ハウジング１４４の後部面１４８および前記ハングアップカップ９００のくぼみ面９１３を並置させることによりハングアップカップ９００に取り付けられる。任意選択的なバッテリパック１０２を取り付けた携帯用無線電話１００が前記くぼみ９１２内に配置されたとき、ボタン９１６が解除されてラッチ部材９１４が点線９２２で示されるようにラッチ１６２のリセプタクル４０２と係合される。任意選択的なバッテリパック１０２を取り付けた携帯用無線電話１００はユーザがボタン９１６を押圧してラッチ部材９１４を後退させかつ任意選択的なバッテリパック１０２を取り付けた携帯用無線電話１００をくぼみ９１２から持ち上げるまでハングアップカップ９００に強固に取り付けられた状態に留まっている。
【００５１】
次に図１０〜図１４に移ると、携帯用電子装置へのメインバッテリパック１３５の結合が示されている。図１０に示されるように、携帯用電子装置はメインバッテリパック１３５が取り外されて閉じられた位置にある。メインバッテリパックを受けるためのくぼみ領域１００２は第１の側壁１００４および第２の側壁１００６、ならびに後部壁１００８を具備する。フランジ１０１０は後部壁から外側にかつくぼみ領域の上に伸びている。上部後側面１３２の第２のくぼみ領域１０１２はメインバッテリ１３５の関連するフランジ１０１３を支持するための平坦な面を提供する。係合用ラッチ部材１０１３はメインバッテリを携帯用電子装置に取り外し可能に取り付けるためにラッチ部材２１２を受けるよう構成されたショルダ部１０１５および１０１６を有するくぼみ領域１０１４を備えている。メインバッテリ１３５がくぼみ領域１００２内に挿入されたとき、メインバッテリ１３５の末端１０１８の突出部１０１７はフランジ１０１０の下に挿入されるよう構成される。
【００５２】
図１１に示されるように、メインバッテリパックを受けるためのくぼみ領域の内側および前側壁はメインバッテリパック１３５の前側面（図１２）上の接点１２０２〜１２０８と係合するよう構成された接点１１０４〜１１１０を含む。メインバッテリパック１３５がくぼみ１００２内に挿入されたとき、ショルダ部１２１０および１２１１はショルダ部１０１５および１０１６の下に挿入されるよう構成される。エッジ１０２０および１０２２はそれぞれ側壁１００４および１００６と面一の面を形成する。
【図面の簡単な説明】
【００５３】
【図１】任意選択的なバッテリパックを取り付けた携帯用電子装置の前側および右側斜視図である。
【図２】携帯用電子装置の後側、左側、および頭部から見た斜視図である。
【図３】携帯用電子装置の底部平面図である。
【図４】ラッチ機構を使用した任意選択的なバッテリパックの前側、右側および頭部から見た斜視図である。
【図５】前記ラッチ機構のラッチを示す前側、右側および頭部から見た斜視図である。
【図６】前側面を除去しかつラッチの複数の位置を有する任意選択的なバッテリパックの正面図である。
【図７】図１の断面線１−１に沿ってみた携帯用電子装置および取り付けられた任意選択的なバッテリパックを示す断面図である。
【図８】任意選択的なバッテリパックを携帯用電子装置に取り付ける方法を示すフローチャートである。
【図９】任意選択的なバッテリパックを取り付けた携帯用電子装置および関連するアクセサリを示す斜視図である。
【図１０】メインバッテリパックを取り外し閉じられた位置にある携帯用電子装置を示す斜視図でありメインバッテリパックを受けるためのくぼみ領域の内側および後部壁を示している。
【図１１】メインバッテリパックを取り外し閉じられた位置にある携帯用電子装置を前記くぼみ領域の内側および前側壁を示す斜視図である。
【図１２】携帯用電子装置から取り外したメインバッテリの正面図である。
【図１３】携帯用電子装置から取り外したメインバッテリの背面図である。
【図１４】携帯用電子装置から取り外したメインバッテリを示す側面図である。
【符号の説明】
【００５４】
１００  携帯用電子装置
１０２  任意選択的なバッテリパック
１０４  携帯用無線電話ハウジング
１０６  下側ハウジング部
１０８  上側ハウジング部
１１０  ヒンジ
１２０  下側後部面
１３５  メインバッテリ
１４４  任意選択的なバッテリパック用ハウジング
１６０  ラッチ機構
１６２  ラッチ
１６４  支持部
４０４  留め金
４０１  頭部開口
４０２  リセプタクル
４０４  フック状端部
【図１】
0004589935.tif 000002
【図２】
0004589935.tif 000003
【図３】
0004589935.tif 000004
【図４】
0004589935.tif 000005
【図５】
0004589935.tif 000006
【図６】
0004589935.tif 000007
【図７】
0004589935.tif 000008
【図８】
0004589935.tif 000009
【図９】
0004589935.tif 000010
【図１０】
0004589935.tif 000011
【図１１】
0004589935.tif 000012
【図１２】
0004589935.tif 000013
【図１３】
0004589935.tif 000014
【図１４】
0004589935.tif 000015